(57)【特許請求の範囲】
【請求項１】
調理器本体と、前記調理器本体の天面を覆うトッププレートに配設された加熱部と、前記加熱部の加熱力を制御する制御手段と、操作する毎に前記制御手段への通電を入り切りする電源スイッチと、前記調理器本体の前面を構成する前面パネルと、前記前面パネルに設けられた、前記制御手段への指令を入力する操作部と前記制御手段から出力される情報を表示する表示部を含む操作・表示部を備えた可動ケースであって、（ａ）調理時には、使用者が前記操作部を操作し、または、前記表示部を目視することができるように、前記調理器本体の前面から前方に突出した突出状態とし、また、（ｂ）非調理時には、前記調理器本体に収納された収納状態とすることができるように構成された可動ケースとを備えた加熱調理器であって、
前記可動ケースを前方に付勢する前方付勢手段と、
前記可動ケースが前記突出状態からさらに前方に移動することを規制する前方移動規制部と、
前記可動ケースの前記収納状態から前記突出状態への移動に伴い前記可動ケースと連動して前後動するハートカムと、一端が前記調理器本体内の所定の基端位置に位置するとともに、他端が前記ハートカムに設けられたカム溝に挿入されて該カム溝上を摺動するフォローアームとを有するプッシュ・プッシュ機構と、
前記所定の基端位置を前後に移動させる基端移動手段と、を備え、
１）前記収納状態において前記可動ケースが前記前方付勢手段により前方に付勢されて、前記フォローアームの前記他端が前記カム溝における第１安定点に位置し、
２）前記フォローアームの前記他端が前記第１安定点に位置する状態で、前記前方付勢手段の付勢力より大きい後方への付勢力によって前記可動ケースを後方に付勢することにより、前記フォローアームの前記他端が、前記カム溝において前記第１安定点より前方に位置する第１折り返し点に移動し、
３）前記フォローアームの前記他端が前記第１折り返し点に達した後に、前記後方への付勢力を解除することにより、前記フォローアームの前記他端が前記カム溝において前記第１安定点より後方に位置する第２安定点に移動して、前記可動ケースが前記調理器本体の前面から前方に突出した前記突出状態となるように構成され、
４）前記突出状態において前記制御手段が、前記フォローアームの前記他端が前記第２安定点に位置する状態で、前記基端移動手段により前記所定の基端位置を前方に移動させて、前記フォローアームの前記他端を、前記カム溝において前記第１安定点より前方に位置する第２折り返し点に移動させ、
５）前記フォローアームの前記他端が前記第２折り返し点に達した後に、前記基端移動手段により前記所定の基端位置を後方に移動させて、前記フォローアームの前記他端を、前記第１安定点に移動させ、
６）前記フォローアームの前記他端が前記第１安定点に位置した状態で、前記基端移動手段による前記所定の基端位置の後方への移動を行い、前記可動ケースが前記調理器本体に収納された前記収納状態とする、
可動ケース自動収納モードを実行するように構成されていることを特徴とする加熱調理器。
【請求項２】
前記加熱部で加熱する調理容器の底面の温度を検出する温度検出部を備え、
前記操作部によって、前記温度検出部による検出温度が所定の設定温度となるように前記加熱部の火力の大きさを調整する自動温度調節モードを選択することができるように構成され、
前記自動温度調節モードが選択された状態で前記加熱部による加熱を行う場合に、前記可動ケース自動収納モードを実行すること
を特徴とする請求項１記載の加熱調理器。
【請求項３】
前記制御手段への通電状態で、かつ、前記突出状態である場合において、前記電源スイッチが操作されたとき、前記可動ケース自動収納モードを実行することを特徴とする請求項１または２記載の加熱調理器。
【請求項４】
前記可動ケース自動収納モードを実行する前に報知することを特徴とする請求項１〜３のいずれかに記載の加熱調理器。
【請求項５】
前記報知を行っている場合に、前記制御手段になんらかの指令が入力されたとき、または、前記電源スイッチが操作されたとき、前記可動ケース自動収納モードを実行しないことを特徴とする請求項４記載の加熱調理器。
【請求項６】
前記可動ケース自動収納モードの実行中に、前記制御手段になんらかの指令が入力されたとき、または、前記電源スイッチが操作されたとき、前記可動ケース自動収納モードの実行を中断することを特徴とする請求項１〜５のいずれかに記載の加熱調理器。
【請求項７】
前記操作・表示部に表示される情報の一部またはその全部を表示する第２表示部を前記トッププレートに備えていることを特徴とする請求項１〜６のいずれかに記載の加熱調理器。
【発明の詳細な説明】
【技術分野】
【０００１】
本発明は、加熱調理器に関し、詳しくは、加熱調理器を構成する調理器本体の前面を構成する前面パネルに、操作部と表示部とを備えた開閉可能な可動ケースが配設された加熱調理器に関する。
【背景技術】
【０００２】
ガスを燃料とする加熱調理器の１つに、調理器本体の前面に、コンロの点・消火を行うための点・消火操作部や、加熱状態などを表示するための表示部が配設された構造を有する加熱調理器がある。
【０００３】
そして、そのような加熱調理器の一つに、特許文献１に記載されているような、加熱調理器がある。
【０００４】
この特許文献１の加熱調理器は、使用時には前方に回動して操作および表示が可能な位置に移行することが可能で、不使用時には、調理器本体内部に収納することが可能な、いわゆるカンガルーポケット機構により可動に構成された可動ケースに、操作・表示部とが配設された構造を有している。
【０００５】
そして、操作・表示部を操作して、温調機能（すなわち、温度センサを備えたコンロバーナやグリルバーナにより、炊飯、湯沸かし、揚げものなどの種々の温調調理を行う機能）やタイマ機能を利用した調理を容易に行うとともに、必要な表示を行うことができるように構成されている。
【０００６】
具体的には、開閉式の操作部を前方に回動して、温調機能や、タイマ機能についての操作および表示を行った後に、コンロバーナやグリルバーナに点火して、加熱調理を開始することになる。
【先行技術文献】
【特許文献】
【０００７】
【特許文献１】特開２０１０−２５５９４９号公報
【発明の概要】
【発明が解決しようとする課題】
【０００８】
しかしながら、上記従来の加熱調理器の場合、前方に回動して繰り出された表示・操作部を収納しない場合、前方に回動して繰り出された表示・操作部に調理時に飛散する油やホコリなどが付着して、汚れるという問題点がある。
【０００９】
また、加熱調理器の使用後に、使用者が表示・操作部を格納することを行って、表示・操作部を、前方に回動して繰り出された状態のまま放置した場合、さらに表示・操作部に、油やホコリなどの汚れが付着しやすくなる。
【００１０】
そのため、所定の間隔をおいて手入れを行うことが必要になり、保守の手間がかかることになる。
【００１１】
本発明は、上記課題を解決するものであり、いわゆるカンガルーポケット機構により可動（開閉）可能に構成された操作・表示部に油やホコリなどの汚れが付着することを抑制することが可能で、手入れの容易な加熱調理器を提供することを目的とする。
【課題を解決するための手段】
【００１２】
上記の目的を達成するために、本発明の加熱調理器は、
調理器本体と、前記調理器本体の天面を覆うトッププレートに配設された加熱部と、前記加熱部の加熱力を制御する制御手段と、操作する毎に前記制御手段への通電を入り切りする電源スイッチと、前記調理器本体の前面を構成する前面パネルと、前記前面パネルに設けられた、前記制御手段への指令を入力する操作部と前記制御手段から出力される情報を表示する表示部を含む操作・表示部を備えた可動ケースであって、（ａ）調理時には、使用者が前記操作部を操作し、または、前記表示部を目視することができるように、前記調理器本体の前面から前方に突出した突出状態とし、また、（ｂ）非調理時には、前記調理器本体に収納された収納状態とすることができるように構成された可動ケースとを備えた加熱調理器であって、
前記可動ケースを前方に付勢する前方付勢手段と、
前記可動ケースが前記突出状態からさらに前方に移動することを規制する前方移動規制部と、
前記可動ケースの前記収納状態から前記突出状態への移動に伴い前記可動ケースと連動して前後動するハートカムと、一端が前記調理器本体内の所定の基端位置に位置するとともに、他端が前記ハートカムに設けられたカム溝に挿入されて該カム溝上を摺動するフォローアームとを有するプッシュ・プッシュ機構と、
前記所定の基端位置を前後に移動させる基端移動手段と、を備え、
１）前記収納状態において前記可動ケースが前記前方付勢手段により前方に付勢されて、前記フォローアームの前記他端が前記カム溝における第１安定点に位置し、
２）前記フォローアームの前記他端が前記第１安定点に位置する状態で、前記前方付勢手段の付勢力より大きい後方への付勢力によって前記可動ケースを後方に付勢することにより、前記フォローアームの前記他端が、前記カム溝において前記第１安定点より前方に位置する第１折り返し点に移動し、
３）前記フォローアームの前記他端が前記第１折り返し点に達した後に、前記後方への付勢力を解除することにより、前記フォローアームの前記他端が前記カム溝において前記第１安定点より後方に位置する第２安定点に移動して、前記可動ケースが前記調理器本体の前面から前方に突出した前記突出状態となるように構成され、
４）前記突出状態において前記制御手段が、前記フォローアームの前記他端が前記第２安定点に位置する状態で、前記基端移動手段により前記所定の基端位置を前方に移動させて、前記フォローアームの前記他端を、前記カム溝において前記第１安定点より前方に位置する第２折り返し点に移動させ、
５）前記フォローアームの前記他端が前記第２折り返し点に達した後に、前記基端移動手段により前記所定の基端位置を後方に移動させて、前記フォローアームの前記他端を、前記第１安定点に移動させ、
６）前記フォローアームの前記他端が前記第１安定点に位置した状態で、前記基端移動手段による前記所定の基端位置の後方への移動を行い、前記可動ケースが前記調理器本体に収納された前記収納状態とする、
可動ケース自動収納モードを実行するように構成されていることを特徴としている。
【００１３】
本発明の加熱調理器においては、
前記加熱部で加熱する調理容器の底面の温度を検出する温度検出部を備え、
前記操作部によって、前記温度検出部による検出温度が所定の設定温度となるように前記加熱部の火力の大きさを調整する自動温度調節モードを選択することができるように構成され、
前記自動温度調節モードが選択された状態で前記加熱部による加熱を行う場合に、前記可動ケース自動収納モードを実行するように構成されていることが好ましい。
【００１４】
また、前記制御手段への通電状態で、かつ、前記突出状態である場合において、前記電源スイッチが操作されたとき、前記可動ケース自動収納モードを実行するように構成されていることが好ましい。
【００１５】
また、前記可動ケース自動収納モードを実行する前に報知するように構成されていることが好ましい。
【００１６】
また、前記報知を行っている場合に、前記制御手段になんらかの指令が入力されたとき、または、前記電源スイッチが操作されたとき、前記可動ケース自動収納モードを実行しないように構成されていることが好ましい。
【００１７】
また、前記可動ケース自動収納モードの実行中に、前記制御手段になんらかの指令が入力されたとき、または、前記電源スイッチが操作されたとき、前記可動ケース自動収納モードの実行を中断するように構成されていることが好ましい。
【００１８】
また、前記操作・表示部に表示される情報の一部またはその全部を表示する第２表示部を前記トッププレートに備えていることが好ましい。
【発明の効果】
【００１９】
本発明の加熱調理器は、上述のように構成されているので、開閉式の可動ケースの操作・表示部に油やホコリなどの汚れが付着することを抑制して、手入れの容易な加熱調理器を提供することができる。
【００２０】
また、自動温度調節モードを選択することができるように構成し、自動温度調節モードが選択された状態で加熱部による加熱を行う場合に、可動ケース自動収納モードを実行するようにした場合、一般に、揚げ物調理で用いられる自動温度調節モードが選択された状態で加熱を行うときに、自動収納モードが実行されるので、本発明の効果をより顕著なものにすることができる。
【００２１】
また、制御手段への通電状態で、かつ、突出状態である場合において、電源スイッチが操作されたとき、つまり、加熱調理器の使用を終了する場合、自動的に収納状態となるので可動ケースを収納する手間が省けて使い勝手を向上させることができる。
【００２２】
可動ケース自動収納モードを実行する前に報知するようにした場合、可動ケースに、使用者が不用意に触れてしまうことを防止して、安全性を向上させることができる。
【００２３】
前記報知を行っている場合に、制御手段になんらかの指令が入力されたとき、または、前記電源スイッチが操作されたとき、可動ケース自動収納モードを実行しないようにすることで、報知があっても不用意に操作・表示部に触れてしまったような場合に、可動ケース自動収納モードの実行が行われないようにすることができるので、より安全性の高い加熱調理器を提供することができる。
【００２４】
前記可動ケース自動収納モードの実行中に、前記制御手段になんらかの指令が入力されたとき、または、前記電源スイッチが操作されたとき、前記可動ケース自動収納モードの実行を中断するようにした場合、使用者が可動ケースに不用意に触れてしまった場合にも、可動ケース自動収納モードの実行が中断されるので、安全な加熱調理器を実現することができる。
【００２５】
前記操作・表示部に表示される情報の一部またはその全部を表示する第２表示部を前記トッププレートに備えた構成とした場合、可動ケース自動収納モードの実行によって、可動ケースが収納状態となっても、操作・表示部に表示される情報の一部またはその全部を第２表示部によって視認できるので使い勝手のよい加熱調理器を得ることができる。
【図面の簡単な説明】
【００２６】
【図１】本発明の一実施形態（実施形態１）にかかる加熱調理器（グリル付きガスコンロ）の外観構成を示す図である。
【図２】（ａ），（ｂ），（ｃ）は、本発明の実施形態にかかる加熱調理器（グリル付きガスコンロ）のバーナ操作部の操作方法を示す図。
【図３】（ａ），（ｂ），（ｃ）は、本発明の実施形態にかかる加熱調理器（グリル付きガスコンロのバーナ操作部）の操作方法を示す図である。
【図４】（ａ），（ｂ）は本発明の実施形態にかかる加熱調理器（グリル付きガスコンロ）の、標準バーナ用の付加機能操作・表示部の操作・表示位置への移行前（可動ケースの閉止状態）および移行後（可動ケースの開放状態）を示す図である。
【図５】本発明の実施形態にかかる加熱調理器（グリル付きガスコンロ）の、標準バーナ用の付加機能操作・表示部の構成を示す図である。
【図６】本発明の実施形態にかかる加熱調理器（グリル付きガスコンロ）を構成する可動ケースの収納状態を示す要部側面図である。
【図７】本発明の実施形態にかかる加熱調理器（グリル付きガスコンロ）を構成する可動ケースの突出状態を示す要部側面図である。
【図８】本発明の実施形態にかかる加熱調理器（グリル付きガスコンロ）を構成するハートカムのカム溝の形状を示す図であって、（ａ）は平面図、（ｂ）は溝の上面の形態を示す模式図である。
【図９】本発明の実施形態にかかる加熱調理器（グリル付きガスコンロ）を構成する基端移動手段およびフォローアームを示す平面図である。
【図１０】本発明の実施形態にかかる加熱調理器（グリル付きガスコンロ）を構成する可動ケースを手動にて収納状態と突出状態とに切り替える動作を説明する要部平面図である。
【図１１】本発明の実施形態にかかる加熱調理器（グリル付きガスコンロ）における可動ケース自動収納モード実行時の動作を説明する要部平面図である。
【発明を実施するための形態】
【００２７】
［実施形態］
以下、本発明の実施形態を示して、その特徴とするところをさらに詳しく説明する。
【００２８】
＜加熱調理器の基本構造＞
図１は本発明の実施形態にかかる加熱調理器（グリル付きガスコンロ）の外観構成を示す図である。
【００２９】
この加熱調理器（グリル付きガスコンロ）は、図１に示すように、標準バーナ１ａ、高火力バーナ１ｂ、および小バーナ１ｃの３つのコンロバーナ（加熱部）を備えており、トッププレートＴＰの上部に、標準バーナ１ａ、高火力バーナ１ｂ、および小バーナ１ｃに対する鍋などの被加熱物（調理物）を受け止め、支持するための五徳５１が載置されている。
【００３０】
そして、標準バーナ１ａには、被加熱物（例えば、調理容器である鍋の底）に接触してその温度を検出するためのサーミスタからなる温度センサ（鍋底温度センサ）９が，標準バーナ１ａの中央を貫通するように配設されている。
なお、この温度センサ９を備えた標準バーナ１ａにより、炊飯、湯沸かし、揚げものなどの温調調理を行うことが可能である。
【００３１】
また、グリル部４は、前面部が開口した箱状に形成されたグリル庫内に、魚などの被調理物を載置するための載置部として機能する焼き網を設けて構成されている。また、グリル庫内には、加熱部として、１つの上側バーナ（図示せず）と２つの下側バーナ（図示せず）が配設されている。
【００３２】
さらに、加熱調理器（グリル付きガスコンロ）の前面（前側面）には、上述のコンロバーナとグリルバーナの点火および消火、火力調節と各種の設定とを指令する手動操作部３４（図１、図４、図５など）が設けられている。
【００３３】
また、この加熱調理器（グリル付きガスコンロ）は、各種の制御を実行するように構成された制御部（制御手段）（図示せず）を備えている。制御部（制御手段）は、手動操作部３４にて指令された指令情報に基づいて、コンロバーナおよびグリルバーナの燃焼状態などを制御するように構成されている。
【００３４】
また、この実施形態の加熱調理器において、制御部（制御手段）は、商用電源から得られるＡＣ１００ＶをＤＣ３Ｖに変換した直流を電源としている。
【００３５】
加熱調理器（グリル付きガスコンロ）の前面には、自動復帰型の押し操作式の電源スイッチ２４が設けられている。
【００３６】
上記手動操作部３４は、図４〜図７に示すように、コンロバーナ（標準バーナ１ａ、高火力バーナ１ｂ、小バーナ１ｃ）の夫々に対して各別に点火・消火や火力調節を指令するための３つの加熱状態調節部２１（２１ａ，２１ｂ，２１ｃ）、標準バーナ１ａの温調機能（湯沸かし、揚げ物、炊飯）とタイマ機能についての操作および表示を行う標準バーナ用の付加機能操作・表示部（本発明における操作部と表示部を備えた機構部）３２、グリルバーナ（特に図示しない上側バーナと下側バーナ）の火力調節などを行うグリルバーナ操作部２２、グリルバーナの作動状態の切り換えを指令するグリル用の付加機能操作・表示部（本発明における操作部と表示部を含む操作・表示部）３３（図７）などを備えている。
【００３７】
なお、調理器本体１０の前面右上に配置された電源スイッチ２４をＯＮにして電源ランプ２５が点灯した後に、図２（ａ）に示すように、上記標準バーナ操作部２１ａ、高火力バーナ操作部２１ｂ、および小バーナ操作部２１ｃを押し込み操作することにより、標準バーナ１ａ、高火力バーナ１ｂ、および小バーナ１ｃが点火するとともに、図２（ｂ）に示すように、各バーナ操作部２１ａ，２１ｂ，２１ｃが内部から飛び出して、火力調節を行うことができるように構成されている。
なお、各バーナ１ａ，１ｂ，１ｃに点火した場合には、図２（ｃ）に示すように、燃焼表示ランプ２３が点灯して、点火を確認することができるように構成されている。
【００３８】
また、図３（ａ）に示すように、各バーナ操作部２１ａ，２１ｂ，２１ｃを再度押し込むことにより、各バーナ１ａ，１ｂ，１ｃの消火動作が実行されるとともに、図３（ｂ）に示すように、各バーナ操作部２１ａ，２１ｂ，２１ｃが調理器本体１０の内部に収納されるように構成されている。
なお、各バーナ１ａ，１ｂ，１ｃの消火動作が終わった場合には、図３（ｃ）に示すように、燃焼表示ランプ２３が消灯して、消火を確認することができるように構成されている。
【００３９】
さらに、グリルバーナ操作部２２についても、同様に、グリルバーナ操作部２２を再度押し込むことにより、消火動作が実行されるとともに、グリルバーナ操作部２２が調理器本体１０の内部に収納されるように構成されている。
【００４０】
また、図１、図４（ａ），（ｂ）に示すように、調理器本体１０の前面を構成する前面パネル３０の、標準バーナ１ａの位置する側である左側の下部には、使用しない時には調理器本体１０の内部に収納され、調理時（使用時）には操作・表示位置に移行するように構成された、標準バーナ１ａの温調機能（湯沸し、揚げ物、炊飯）とタイマ機能についての操作および表示を行う標準バーナ用の付加機能操作・表示部（本発明における操作・表示部）３２が配設されている。
【００４１】
なお、標準バーナ用の付加機能操作・表示部（本発明における操作・表示部）３２（図５参照）は、可動ケース４０に配設されており、可動ケース４０は、いわゆるカンガルーポケット機構により、非調理時（不使用時）には、図４（ａ）に示すように、後方に回動（後退）して、調理器本体１０の内部に保持された状態、すなわち、「可動ケース４０の閉止状態」となり、調理時（使用時）には、図４（ｂ）に示すように、前方に回動して操作および表示が可能な操作・表示位置となる、「可動ケース４０の開放状態」に移行することができるように構成されている。
【００４２】
この実施形態において、可動ケース４０は、上述の閉止状態で、その表面が調理器本体１０の前面パネル３０と同一面となる前面部材４０ａと、この前面部材４０ａの裏面側に一体形成された可動ケース本体４０ｂを備えた構成とされている。すなわち、前面部材４０ａが、調理容器本体１０の前面パネル３０の一部として機能するように構成されている。
【００４３】
さらに、図１示すように、調理器本体１０の前面を構成する前面パネル３０の右側下部には、上述のように、使用しない時には調理器本体１０の内部に収納され、調理時（使用時）には操作・表示位置に移行できるように構成された、グリルバーナのオート調理機能（メニュー、焼き加減）とタイマ機能についての操作および表示を行うグリル用の付加機能操作・表示部（本発明における操作・表示部）３３（図７参照）が配設されている。
【００４４】
なお、グリル用の付加機能操作・表示部（本発明における操作・表示部）３３は、上述の標準バーナ用の付加機能操作・表示部３２と同様に、可動ケース４０に配設されており、可動ケース４０は、いわゆるカンガルーポケット機構により、調理時（使用時）には前方下側に回動して操作および表示が可能な「可動ケース４０の開放状態」に移行することができ、非調理時（不使用時）には、調理器本体１０の内部に保持された状態、すなわち「可動ケース４０の閉止状態」とすることができるように構成されている（図６参照）。
【００４５】
＜特徴的構成＞
次に、本発明の実施形態にかかる加熱調理器（グリル付きガスコンロ）の特徴的な構成について説明する。
【００４６】
上述のように、この実施形態の加熱調理器（グリル付きガスコンロ）は、（ａ）調理時には、使用者が付加機能操作・表示部（本発明における操作・表示部）３２を操作し、または、付加機能操作・表示部３２を目視することができるように、調理器本体１０の前面から前方に突出した突出状態とし、また、（ｂ）非調理時には、付加機能操作・表示部３２が、調理器本体１０に収納された収納状態とすることができるように構成された可動ケース４０を備えている。
【００４７】
なお、付加機能操作・表示部３３も付加機能操作・表示部３２と同様の構成を備えており、以下に説明する付加機能操作・表示部３２の突出動作や収納動作と同様の動作を行うように構成されているが、この実施形態では、付加機能操作・表示部３２について説明を行う。
【００４８】
なお、上述の可動ケース本体４０は、その前方の下端に具備する回動軸５０の軸心周りに前方に回動して開放状態となり、軸心周りに後方に回動して閉止状態となるように構成されている。
【００４９】
可動ケース４０の収納状態から突出状態への移動に伴い可動ケース４０と連動して前後動するハートカム１００（図６、図７、図８など参照）と、その一端１１０ａが調理器本体１０内の所定の基端位置Ａ（図６、図７、図９参照）に位置するとともに、その他端１１０ｂがハートカム１００に設けられたカム溝Ｍに挿入されてこのカム溝Ｍ上を摺動するフォローアーム１１０を有するプッシュ・プッシュ機構２００を備えている（図６、図７、図９、図１０、図１１参照）。
【００５０】
なお、図６、図７に示される付勢手段（前方付勢手段）１２０は、フォローアーム１１０の他端１１０ｂを、適正にハートカム１００のカム溝Ｍ上を摺動させるように機能する。
【００５１】
また、図６、図７および図９に示されるガイド１３５は、後述する基端移動手段１３０の一部を構成する連動アーム１３４によってフォローアーム１１０の一端１１０ａが前後に移動するとき、フォローアーム１１０の一端１１０ａが、平面視でフォローアーム１１０の長さ方向に直交する方向に移動することを抑制する機能を果たす。
【００５２】
図８（ａ）に示すように、ハートカム１００には、第１安定点Ｐ１、第２安定点Ｐ２、第１折り返し点Ｒ１、第２折り返し点Ｒ２が設けられている。また、第１安定点Ｐ１と第１折り返し点Ｒ１とが第１誘導溝Ｍ１によって接続され、第１折り返し点Ｒ１と第２安定点Ｐ２とが第２誘導溝Ｍ２によって接続されている。さらに、第２安定点Ｐ２と第２折り返し点Ｒ２とが第３誘導溝Ｍ３によって接続され、第２折り返し点Ｒ２と第１安定点Ｐ１とが第４誘導溝Ｍ４によって接続されている。
【００５３】
図８（ｂ）に示すように、第４誘導溝Ｍ４から第１安定点Ｐ１に至る箇所に溝の深さが急峻に深くなる形態で第１段差Ｓ１が設けられており、第１誘導溝Ｍ１から第１折り返し点Ｒ１に至る箇所に溝の深さが急峻に深くなる形態で第２段差Ｓ２が設けられており、第２誘導溝Ｍ２から第２安定点Ｐ２に至る箇所に溝の深さが急峻に深くなる形態で第３段差Ｓ３が設けられており、第３誘導溝Ｍ３から第２折り返し点Ｒ２に至る箇所に溝の深さが急峻に深くなる形態で第４段差Ｓ４が設けられている。
【００５４】
上述の段差Ｓ１〜Ｓ４が存在することで、カム溝Ｍ上を摺動するフォローアーム１１０の他端１１０ｂが第１安定点Ｐ１に位置するときに、フォローアーム１００の他端１１０ａがハートカム１００の前方向に移動する場合には、他端１１０ｂは第４誘導溝Ｍ４に移動せず、第１誘導溝Ｍ１に移動する。また、フォローアーム１１０の他端１１０ｂが第１折り返し点Ｒ１に位置するときに、他端１１０ｂがハートカム１００の後方向に移動する場合には、第１誘導溝Ｍ１に移動せず、第２誘導溝Ｍ２に移動する。
【００５５】
また、フォローアーム１１０の他端１１０ｂが第２安定点Ｐ２に位置するときに、フォローアーム１１０の他端１１０ｂがハートカム１００の前方向に移動する場合には、第２誘導溝Ｍ２に移動せず第３誘導溝Ｍ３に移動する。フォローアーム１１０の他端１１０ｂが第２折り返し点Ｒ２に位置するときに、フォローアーム１１０の他端１１０ｂがハートカム１００の後方向に移動する場合には、第３誘導溝Ｍ３に移動せず第４誘導溝Ｍ４に移動する。
【００５６】
フォローアーム１１０の一端１１０ａが所定の基端位置Ａにあるとき、使用者が可動ケース４０の前面（前面部材４０ａ）を後方に押し操作することで、可動ケース４０が、以下に説明するように開閉される。なお、図１０においてフォローアーム１１０の一端１１０ａ（図１０におけるフォローアーム１１０の左端）が位置する点（位置）が図６、７に示す所定の基端位置Ａを示す。
【００５７】
（１）図６に示す可動ケース４０の収納状態において、可動ケース４０が前方付勢手段１２０（図１０、図１１では、コイルばねが前方付勢手段１２０を構成する場合を示す）によって前方に付勢されて、フォローアーム１１０の他端１１０ｂがカム溝Ｍにおける第１安定点Ｐ１に位置する（図１０（ａ））。
【００５８】
（２）フォローアーム１１０の他端１１０ｂが第１安定点Ｐ１に位置する状態で、使用者が、前方付勢手段１２０の付勢力より大きい力で、可動ケース４０を後方に押し操作して付勢することにより、フォローアーム１１０の他端１０１ｂが、カム溝において前記第１安定点より前方に位置する第１折り返し点Ｒ１に移動する（図１０（ｂ））。
【００５９】
（３）フォローアーム１１０の他端１１０ｂが第１折り返し点Ｒ１に達した後に、後方への押し操作力（付勢力）を解除することにより、フォローアーム１１０の他端１１０ｂがカム溝Ｍにおいて第１安定点Ｐ１より後方に位置する第２安定点Ｐ２に移動して、図７に示す突出状態となる（図１０（ｄ））。
なお、図１０（ｃ）は、図１０（ｂ）の状態から図１０（ｄ）の状態に至る途中の状態を示す。
【００６０】
また、図７に示す突出状態、つまり、図１０（ｄ）の状態から、使用者が可動ケース４０を後方に押し操作して付勢することにより、図１０（ｅ）に示すフォローアームの他端が第３誘導溝Ｍ３上を摺動する状態を経て、フォローアーム１１０の他端１１０ａが第２折り返し点Ｒ２に達し、可動ケース４０の前面（前面部材４０ａ）が前面パネル３０より後方に位置する図１０（ｆ）の状態となり、その後、後方への押し操作力（付勢力）を解除することにより、フォローアーム１１０の他端１１０ｂがカム溝Ｍにおいて第２安定点Ｐ２より後方に位置する第１安定点Ｐ１に移動して、図６に示す収納状態となる。（図１０（ｇ）。）
【００６１】
以上のように、フォローアーム１１０の一端１１０ａが所定の基端位置Ａにあるとき、使用者が可動ケース４０の前面（前面部材４０ａ）を後方に押し操作する毎に、可動ケース４０が開閉され、図６に示す収納状態と図７に示す突出状態とに切り替えられる。
【００６２】
この実施形態では、さらに、所定の基端位置Ａを前後に移動させる基端移動手段１３０を備える。
【００６３】
この実施形態では、図６、図７、図９に示す、サーボモータ１３１、および、サーボモータ出力軸１３２、および、サーボモータ出力軸１３２と共に回動するサーボモータ出力アーム１３３、および、サーボモータ出力アーム１３３の回転運動を往復運動に変換するためにフォローアーム１１０の一端１１０ａ側に連結される連動アーム１３４、および、連動アーム１３４によってフォローアーム１１０の一端１１０ａが前後に移動されるとき、フォローアーム１１０の一端が、平面視で左右方向に移動することを抑制するガイド１３５が、基端移動手段１３０を構成する。
【００６４】
なお、ガイド１３５は、後方（図９における左方）に備える横倒し姿勢のガイド軸１３６に軸支され、ガイド軸１３６を中心に上下方向に揺動可能に構成されている。（図６、図７参照）。
【００６５】
なお、ガイド１３５は、平面視でその長さ方向に直交する方向には揺動しないように構成されており、このガイド１３５によって、フォローアーム１１０の一端１１０ａが、平面視でフォローアーム１１０の長さ方向に直交する方向に移動することが抑制される。
【００６６】
上述のように構成されたこの実施形態の加熱調理器においては、以下のように、可動ケース自動収納モードが実行される。
【００６７】
（４）図７に示す突出状態において、まず、制御手段が、フォローアーム１１０の他端１１０ｂが第２安定点Ｐ２に位置する状態（図１１（ａ）参照）で、基端移動手段１３０により基端位置Ａを前方に移動させて、フォローアーム１１０の他端１１０ｂが第３誘導溝Ｍ３上を摺動する図１１（ｂ）の状態を経て、フォローアーム１１０の他端１１０ｂを、カム溝Ｍにおいて第１安定点Ｐ１より前方に位置する第２折り返し点Ｒ２に移動させる（図１１（ｃ））。
【００６８】
（５）フォローアーム１１０の他端１１０ｂが第２折り返し点Ｒ２に達した後に、基端移動手段１３０により基端位置Ａを後方に移動させて、フォローアーム１１０の他端１１０ｂを、第１安定点Ｐ１に移動させる（図１１（ｄ））。
【００６９】
（６）フォローアーム１１０の他端１１０ｂが第１安定点Ｐ１に位置した状態で、基端移動手段１３０による所定の基端位置Ａの後方への移動を行い、付加機能操作・表示部３２が調理器本体１０に収納された図６に示す収納状態とする（図１１（ｆ））。
なお、図１１（ｅ）は、図１１（ｄ）から図１１（ｆ）に至る途中の状態を示す。
【００７０】
この実施形態の加熱調理器は、可動ケース４０が突出状態からさらに前方に移動することを規制する前方移動規制部（図６および図７に示すストッパ）１４０を備えている。そのため、図１１（ａ）、（ｂ）、（ｃ）、（ｄ）の状態において、可動ケース４０が突出状態からさらに前方に移動することが規制される。
【００７１】
また、この実施形態の加熱調理器においては、上述のように、可動ケース自動収納モードが実行されるため、開閉式の付加機能操作・表示部３２に油やホコリなどの汚れが付着することが抑制され、手入れの容易な加熱調理器を実現することができる。
【００７２】
また、この実施形態の加熱調理器は、付加機能操作・表示部３２に表示される情報の一部またはその全部を表示する第２表示部１５０をトッププレートＴＰに備えている。
【００７３】
そのため、可動ケース自動収納モードの実行によって、可動ケース４０が収納状態となっても、可動ケース４０に備える付加機能操作・表示部３２に表示される情報の一部またはその全部を、第２表示部１５０によって視認できる。したがって、可動ケース自動収納モードを実行させても、情報の視認が可能な使い勝手のよい加熱調理器を提供することができる。
なお、第２表示部１５０をトッププレートＴＰに備える点は任意の構成であり、第２表示部は備えなくてもよい。
【００７４】
また、この実施形態にかかる加熱調理器は、標準バーナ１ａで加熱する調理容器の底面の温度を検出する温度センサ（鍋底温度センサ）９（図１）を備えている。
【００７５】
そして、付加機能操作・表示部３２によって、温度センサ（鍋底温度センサ）９による検出温度が所定の設定温度（例えば、１６０℃、１８０℃、２００℃）となるように標準バーナ１ａの火力の大きさを調整する自動温度調節モードを選択することができるように構成されている。
【００７６】
そして、自動温度調節モードが選択された状態で標準バーナ１ａによる加熱を行うときに、可動ケース自動収納モードを実行するように構成されている。
【００７７】
したがって、この実施形態にかかる加熱調理器によれば、例えば、てんぷらやフライなどの揚げ物調理で用いられる自動温度調節モードが選択された状態で標準バーナ１ａによる加熱を行うときに、自動収納モードを実行することで、開閉式の付加機能操作・表示部３２に油などの汚れが付着することを効率よく抑制することが可能になり、手入れの容易な加熱調理器を実現することができる。
【００７８】
なお、自動温度調節モードが選択された状態で標準バーナ１ａによる加熱を行うとき可動ケース自動収納モードを実行するように構成される点は、任意の構成であり、自動温度調節モードが選択された状態で標準バーナ１ａによる加熱を行うとき可動ケース自動収納モードを実行するように構成しなくてもよい。
【００７９】
また、この実施形態の加熱調理器は、通電状態で、かつ、可動ケース４０の突出状態である場合において、電源スイッチ２４が操作されたとき、可動ケース自動収納モードを実行するように構成されている。
【００８０】
このように構成した場合、制御手段への通電状態で、かつ、可動ケース４０の突出状態であるときに、電源スイッチ２４が操作された場合、つまり、加熱調理器の使用を終了する場合、自動的に可動ケース４０の収納状態となるので、可動ケース４０を収納する手間を省くことが可能になり、使い勝手のよい加熱調理器を実現することができる。
【００８１】
なお、通電状態で、かつ、可動ケース４０の突出状態である場合において、電源スイッチ２４が操作されたとき、可動ケース自動収納モードを実行するようにした構成は任意の構成であり、制御手段への通電状態で、可動ケース４０が突出状態である場合において、電源スイッチ２４が操作された場合に可動ケース自動収納モードを実行するように構成しなくてもよい。
【００８２】
また、この実施形態の加熱調理器は、可動ケース自動収納モードを実行する前に報知手段（不図示）によって報知するように構成されている。かかる報知を行うように構成することにより、可動ケース自動収納モードを実行しようとしている可動ケース４０に、使用者が不用意に触れてしまうことを回避して、安全な加熱調理器を提供することができる。
【００８３】
ただし、上述の報知を行うようにした構成は任意の構成であり、報知を行わないように構成することも可能である。
【００８４】
また、この実施形態の加熱調理器は、上述の報知を行っているときに、制御手段になんらかの指令が入力された場合、または、電源スイッチ２４が操作された場合には、可動ケース自動収納モードを実行しないように構成されている。
【００８５】
このようにした場合、可動ケース自動収納モードを実行しようとしている可動ケース４０に、使用者が不用意に触れてしまったときに、操作部が操作され、制御手段になんらかの指令の入力があった場合、あるいは、電源スイッチ２４が操作された場合に、可動ケース自動収納モードの実行が行われないことになるので、安全な加熱調理器を実現することができる。
【００８６】
なお、この構成も任意の構成であり、上述の報知を行っているときに、制御手段になんらかの指令が入力された場合、または電源スイッチ２４が操作された場合にも、可動ケース自動収納モードの実行を継続するように構成してもよい。
【００８７】
さらに、この実施形態の加熱調理器はでは、可動ケース自動収納モードの実行中に、制御手段になんらかの指令が入力されたとき、あるいは電源スイッチ２４が操作されたとき、可動ケース自動収納モードの実行を中断するように構成されている。
【００８８】
このように構成した場合、可動ケース自動収納モードの実行中に、使用者が可動ケース４０に不用意に触れてしまったとき、操作部が操作されることによる制御手段へのなんらかの指令の入力、あるいは電源スイッチ２４の操作によって、可動ケース自動収納モードの実行が中断されるので、安全な加熱調理器を実現することができる。
【００８９】
なお、可動ケース自動収納モードの実行中に、制御手段になんらかの指令が入力されたとき、あるいは、電源スイッチ２４が操作されたときに、可動ケース自動収納モードの実行を中断するようにした構成は任意の構成であり、可動動ケース自動収納モードの実行中に、制御手段になんらかの指令が入力されたとき、または、あるいは電源スイッチ２４が操作されたときにも、可動ケース自動収納モードの実行を継続するように構成してもよい。
【００９０】
本発明は、さらにその他の点においても上記実施形態に限定されるものではなく、本発明の範囲内において種々の変形を加えることが可能である。
【符号の説明】
【００９１】
１ａ      標準バーナ
１ｂ      高火力バーナ
１ｃ      小バーナ
４        グリル部
９        温度センサ（鍋底温度センサ）
１０      調理器本体
２１      加熱状態調節部
２１ａ    標準バーナ操作部
２１ｂ    高火力バーナ操作部
２１ｃ    小バーナ操作部
２２      グリルバーナ操作部
２３      燃焼表示ランプ
２４      電源スイッチ
２５      電源ランプ
３０      前面パネル
３２      バーナ用の付加機能操作・表示部（操作・表示部）
３３      グリル用の付加機能操作・表示部（操作・表示部）
３４      手動操作部
４０      可動ケース
４０ａ    可動ケースの前面（前面部材）
４０ｂ    可動ケース本体
５０      回動軸
５１      五徳
１００    ハートカム
１１０    フォローアーム
１１０ａ  フォローアームの一端
１１０ｂ  フォローアームの他端
１２０    付勢手段（前方付勢手段）
１３０    基端移動手段
１３１    サーボモータ
１３２    サーボモータ出力軸
１３３    サーボモータ出力アーム
１３４    連動アーム
１３５    ガイド
１３６    ガイド軸
１４０    前方移動規制部（ストッパ）
１５０    第２表示部
２００    プッシュ・プッシュ機構
Ａ        基端位置
Ｍ        カム溝
Ｍ１      第１誘導溝
Ｍ２      第２誘導溝
Ｍ３      第３誘導溝
Ｍ４      第４誘導溝
Ｐ１      第１安定点
Ｐ２      第２安定点
Ｒ１      第１折り返し点
Ｒ２      第２折り返し点
Ｓ１      第１段差
Ｓ２      第２段差
Ｓ３      第３段差
Ｓ４      第４段差
ＴＰ      トッププレート  
【図１】
0006663783.tif 000002
【図２】
0006663783.tif 000003
【図３】
0006663783.tif 000004
【図４】
0006663783.tif 000005
【図５】
0006663783.tif 000006
【図６】
0006663783.tif 000007
【図７】
0006663783.tif 000008
【図８】
0006663783.tif 000009
【図９】
0006663783.tif 000010
【図１０】
0006663783.tif 000011
【図１１】
0006663783.tif 000012